(57)【要約】【課題】殺菌能を有する電解生成水または清澄な海水の一方を調製タンク内に設定された容量だけ導入し、他方を調製タンク内に液面が設定されたレベルになるまで導入し、これらを均一に混合することにより、有効塩素濃度が設定された濃度範囲の除菌海水を調製する場合、有効塩素濃度が設定された濃度範囲の除菌海水を的確に調製する。【解決手段】本発明に係る調製方法は、調製タンク内からの除菌海水の供給を停止された後に行われるものであって、調製タンク内に除菌海水が残留している場合には、残留している除菌海水を全て排出した後、除菌海水が残留していない調製タンク内に殺菌能を有する電解生成水および清澄な海水を導入して、同調製タンク内にて均一に混合して除菌海水を調製する。【選択図】    図１
2007313447.tif 000002
【特許請求の範囲】
【請求項１】
殺菌能を有する電解生成水を調製タンク内に設定された容量だけ導入するとともに、清澄な海水を前記調製タンク内に液面が設定されたレベルになるまで導入し、これらの電解生成水および海水を前記調製タンク内にて均一に混合することにより、殺菌能を有する有効塩素成分が設定された濃度範囲の除菌海水を調製する除菌海水の調製方法であり、当該調製方法は前記調製タンク内からの除菌海水の供給を停止された後に行われるものであって、前記調製タンク内に除菌海水が残留している場合には、残留している除菌海水を全て排出した後、除菌海水が残留していない調製タンク内に殺菌能を有する電解生成水および清澄な海水を導入して、同調製タンク内にてこれらの電解生成水および海水を均一に混合することを特徴とする除菌海水の調製方法。
【請求項２】
清澄な海水を調製タンク内に設定された容量だけ導入するとともに、殺菌能を有する電解生成水を前記調製タンク内に液面が設定されたレベルになるまで導入し、これらの海水および電解生成水を前記調製タンク内にて均一に混合することにより、殺菌能を有する有効塩素成分が設定された濃度範囲の除菌海水を調製する除菌海水の調製方法であり、当該調製方法は前記調製タンク内からの除菌海水の供給を停止された後に行われるものであって、前記調製タンク内に除菌海水が残留している場合には、残留している除菌海水を全て排出した後、除菌海水が残留していない調製タンク内に清澄な海水および殺菌能を有する電解生成水を導入して、同調整タンク内にてこれらの海水および電解生成水を均一に混合することを特徴とする除菌海水の調製方法。
【請求項３】
請求項１または２に記載の除菌海水の調製方法において、前記調製タンク内にて調製された除菌海水の同調製タンク内からの供給の停止は、消費者が必要量の除菌海水の供給を受けた時点で行われるものであることを特徴とする除菌海水の調製方法。
【請求項４】
請求項１または２に記載の除菌海水の調製方法において、前記調製タンク内にて調製された除菌海水の同調製タンク内からの供給の停止は、供給される除菌海水が有する有効塩素成分が設定された濃度範囲を外れている場合に行われるものであることを特徴とする除菌海水の調製方法。
【請求項５】
殺菌能を有する電解生成水または清澄な海水を調製タンク内に設定された容量だけ導入するとともに、清澄な海水または殺菌能を有する電解生成水を前記調製タンク内に液面が設定されたレベルになるまで導入し、これらの電解生成水および海水を前記調製タンク内にて均一に混合することにより、殺菌能を有する有効塩素成分が設定された濃度範囲の除菌海水を調製する調製装置であり、当該調製装置は、調製タンク、電解水生成装置で生成された殺菌能を有する電解生成水を前記調製タンク内に導入する電解生成水導入手段、清澄な海水を前記調製タンク内に導入する海水導入手段、前記調製タンク内に導入された殺菌能を有する電解生成水および清澄な海水を混合して除菌海水を調製する除菌海水調製手段、前記調製タンク内で調製された除菌海水を外部に導出して消費者に供給する除菌海水供給手段、および、前記調製タンク内の除菌海水を全て排出する機能を有する除菌海水排出手段を備えていることを特徴とする除菌海水の調製装置。
【請求項６】
請求項５に記載の除菌海水の調製装置において、当該調製装置は、前記調製タンク内から外部へ導出される除菌海水中の有効塩素成分の濃度を検出する濃度検出手段と、同濃度検出手段から出力される検出信号に基づき除菌海水の有効塩素成分濃度を表示する濃度表示手段を備えていることを特徴とする除菌海水の調製装置。
【請求項７】
請求項５に記載の除菌海水の調製装置において、当該調製装置は、前記調製タンク内から外部へ導出される除菌海水中の有効塩素成分の濃度を検出する濃度検出手段と、同濃度検出手段から出力される検出信号に基づき除菌海水の有効塩素成分が設定された濃度範囲を外れているものと判定したとき、前記調製タンク内からの除菌海水の供給を停止しかつ同調製タンク内の除菌海水の排出を行うべく機能する制御手段を備えていることを特徴とする除菌海水の調製装置。
【発明の詳細な説明】
【技術分野】
【０００１】
本発明は、除菌海水の調製方法および調製装置に関する。
【背景技術】
【０００２】
本発明における除菌海水とは、清澄な海水を被電解水とする無隔膜電解または有隔膜電解にて生成された殺菌能を有する電解生成水を清澄な海水で希釈して調製された水、および、希薄塩水を被電解水とする無隔膜電解または有隔膜電解にて生成された殺菌能を有する電解生成水を清澄な海水で希釈して調製された海水をいい、また、これらの各希釈電解生成水が含有する有効塩素成分を中和（殺菌能の中和）して、無菌状態または無菌に近い状態に調製された海水をいう。当該除菌海水は、海洋生物の飼育用水や養殖用水、生鮮魚介類の殺菌洗浄用水、生鮮魚介類の運搬時の鮮度保持用水、生鮮魚介類を扱う場所に設置されている設備や機械器具の洗浄用水等、種々の用途に使用される。
【０００３】
当該除菌海水をこれらの用途に使用する場合には、当該除菌海水の主要成分である電解生成水に含まれる殺菌能を有する有効塩素成分が、飼育や養殖を対象とする海洋生物に影響を及ぼさない程度の濃度になるように調製する必要があり、調製手段として、殺菌能を有する電解生成水を清澄な海水で希釈する手段が採られる。また、清澄な海水で希釈された希釈電解生成水は、用途によっては、さらに有効塩素成分を中和して無菌状態または無菌に近い状態に調製される。
【０００４】
当該除菌海水を構成する電解生成水は、被電解水の電解時に生成される有効塩素成分に起因する殺菌作用（殺菌能）を有するもので、当該電解生成水を希釈する場合、希釈用水である清澄な海水中の雑菌等が殺菌されて無菌状態となる。これにより、当該除菌海水の海洋生物や生鮮魚介類に対する悪影響は解消され、当該除菌海水は、海洋生物の飼育用水や養殖用水、生鮮魚介類の殺菌洗浄用水、生鮮魚介類の運搬時の鮮度保持用水、生鮮魚介類を扱う場所に設置されている設備や機械器具の洗浄用水等、種々の用途に使用される。
【０００５】
殺菌能を有する電解生成水を水または海水で希釈して調製された希釈電解生成水を、活魚介類の洗浄殺菌に使用することはすでに提案されている（特許文献１を参照）。また、殺菌能を有する電解生成水を清澄な水で希釈することにより、所定のｐＨに調整した殺菌用水を生成する方法についてもすでに提案されている（特許文献２を参照）。
【０００６】
しかして、殺菌能を有する電解生成水を希釈用水で希釈する手段としては、電解生成水を混合タンク内に導入して収容し、電解生成水が収容されている混合タンク内に希釈用水を導入して混合する手段が採られるのが一般である。消費者は、このように調製された混合タンク内の除菌海水を、混合タンク内から所望量だけ導出して供給を受ける。
【特許文献１】特開２００３−２５９７５５号公報
【特許文献２】特開平８−３１８２７３号公報
【発明の開示】
【発明が解決しようとする課題】
【０００７】
ところで、除菌海水を調製する混合タンクを本発明では調製タンクと称しているが、除菌海水を調製タンク内で調製するには、調製タンク内に、殺菌能を有する電解生成水または清澄な海水を設定された容量だけ導入するとともに、清澄な海水または殺菌能を有する電解生成水を前記調製タンク内に液面が設定されたレベルになるまで導入し、これらの電解生成水および海水を調製タンク内にて均一に混合する方法を採るのが有利である。本発明の目的は、調製タンク内からの除菌海水の供給停止後に当該調製方法を採る場合、除菌海水中の有効塩素成分を、設定された範囲の濃度に確実に調製し得るようにすることにある。
【課題を解決するための手段】
【０００８】
本発明は、除菌海水の調製方法および調製装置に関する。本発明に係る除菌海水の調製方法の第１の調製方法は、殺菌能を有する電解生成水を調製タンク内に設定された容量だけ導入するとともに、清澄な海水を前記調製タンク内に液面が設定されたレベルになるまで導入し、これらの電解生成水および海水を前記調製タンク内にて均一に混合することにより、殺菌能を有する有効塩素成分が設定された濃度範囲の除菌海水を調製する除菌海水の調製方法であり、当該調製方法は前記調製タンク内からの除菌海水の供給を停止された後に行われるものであって、前記調製タンク内に除菌海水が残留している場合には、残留している除菌海水を全て排出した後、除菌海水が残留していない調製タンク内に殺菌能を有する電解生成水および清澄な海水を導入して、同調製タンク内にて均一に混合することを特徴とするものである。
【０００９】
本発明に係る除菌海水の調製方法の第２の調製方法は、清澄な海水を調製タンク内に設定された容量だけ導入するとともに、殺菌能を有する電解生成水を前記調製タンク内に液面が設定されているレベルになるまで導入し、これらの海水および電解生成を前記調製タンク内にて均一に混合して、殺菌能を有する有効塩素成分が設定された濃度範囲の除菌海水を調製する除菌海水の調製方法であり、当該調製方法は前記調製タンク内からの除菌海水の供給を停止された後に行われるものであって、前記調製タンク内に除菌海水が残留している場合には、残留している除菌海水を全て排出した後、除菌海水が残留していない調製タンク内に清澄な海水および殺菌能を有する電解生成水を導入して、これらの海水および電解生成水を同調製タンク内にて均一に混合することを特徴とするものである。
【００１０】
本発明に係る各除菌海水の調製方法においては、前記調製タンク内にて調製された除菌海水の同調製タンク内からの供給の停止は、消費者が必要量の除菌海水の供給を受けた時点で行われ、または、供給される除菌海水が有する有効塩素成分が設定された濃度範囲を外れている場合に行われるものである。
【００１１】
本発明に係る除菌海水の調製装置は、殺菌能を有する電解生成水または清澄な海水を調製タンク内に設定された容量だけ導入するとともに、清澄な海水または殺菌能を有する電解生成水を前記調製タンク内に液面が設定されたレベルになるまで導入し、これらの電解生成水および海水を前記調製タンク内にて均一に混合することにより、殺菌能を有する有効塩素成分が設定された濃度範囲の除菌海水を調製する調製装置であって、本発明に係る各除菌海水の調製方法を実施するための調製装置である。
【００１２】
しかして、本発明に係る除菌海水の調製装置は、調製タンク、電解水生成装置で生成された殺菌能を有する電解生成水を前記調製タンク内に導入する電解生成水導入手段、清澄な海水を前記調製タンク内に導入する海水導入手段、前記調製タンク内に導入された殺菌能を有する電解生成水および清澄な海水を混合して除菌海水を調製する除菌海水調製手段、前記調製タンク内で調製された除菌海水を外部に導出して消費者に供給する除菌海水供給手段、および、前記調製タンク内の除菌海水を全て排出する機能を有する除菌海水排出手段を備えていることを特徴とするものである。
【００１３】
本発明に係る除菌海水の調製装置においては、前記調製タンク内から外部へ導出される除菌海水中の有効塩素成分の濃度を検出する濃度検出手段と、同濃度検出手段から出力される検出信号に基づき除菌海水の有効塩素成分濃度を表示する濃度表示手段を備える構成とすることができ、また、前記調製タンク内から外部へ導出される除菌海水中の有効塩素成分の濃度を検出する濃度検出手段と、同濃度検出手段から出力される検出信号に基づき除菌海水の有効塩素成分が設定された濃度範囲を外れているものと判定したとき、前記調製タンク内からの除菌海水の供給を停止しかつ同調製タンク内の除菌海水の排出を行うべく機能する制御手段を備える構成とすることができる。
【発明の効果】
【００１４】
本発明が意図している除菌海水を調製するには、調製タンク内に、殺菌能を有する電解生成水または清澄な海水を設定された容量だけ導入するとともに、清澄な海水または殺菌能を有する電解生成水を前記調製タンク内に液面が設定されたレベルになるまで導入し、これらの電解生成水および海水を調製タンク内にて均一に混合する方法を採るのが有利である。当該調製方法による除菌海水の調製終了した時点では、調製タンク内には、設定された所定容量の除菌海水が貯留され、消費者は、当該調製タンク内の除菌海水を、必要量だけ順次導出して供給を受けることができる。この場合、調製タンク内の除菌海水は、完全に導出し尽くされることはほとんどなく、当該除菌海水の調製方法を実施する際には、調製タンク内には、多少の容量に差はあるものの、除菌海水が常に残留するのが実状である。
【００１５】
このような状態にある調製タンクを使用して、当該調製方法を実施する場合には、調製タンク内には、殺菌能を有する電解生成水または清澄な海水は設定された容量だけ導入されるとともに、清澄な海水または殺菌能を有する電解生成水を調製タンク内に液面が設定されたレベルになるまで導入されることになって、後者である清澄な海水または殺菌能を有する電解生成水の導入される容量は、調製タンク内に残留している除菌海水の容量分だけ少ないことになる。後者の導入液が清澄な海水である場合には、希釈用の海水の容量が少ないことになって、殺菌能を有する有効塩素成分の濃度が設定された範囲よりも高い濃度の除菌海水が調製されることになり、また、後者の導入液が殺菌能を有する電解生成水である場合には、希釈されるべき電解生成水の容量が少ないことになって、殺菌能を有する有効塩素成分の濃度が設定された範囲よりも低い濃度の除菌海水が調製されることになる。換言すれば、これらの何れの場合であっても、殺菌能を有する有効塩素成分の濃度が設定された濃度範囲を外れた除菌海水が調製されることになる。
【００１６】
本発明に係る除菌海水の調製方法は、これらの問題を解消すべく意図しているもので、当該除菌海水の調製方法を実施する際に、調製タンク内に除菌海水が残留している場合には、残留している除菌海水を調製タンク内から全て排出し、その後に当該調製方法を実施するものである。かかる調製方法を採ることにより、調製タンク内に導出し尽くされずに残留する除菌海水に起因する上記した問題は完全に解消されて、調製タンク内には、殺菌能を有する有効塩素成分の濃度が設定された濃度範囲内の除菌海水が確実に調製されることになる。予め、調製タンク内に調製されている除菌海水が、殺菌能を有する有効塩素成分の濃度が設定された濃度範囲を外れている場合には、これを検出して、調製タンク内の除菌海水の導出（供給）を停止して、本発明に係る調製方法を実施することによっても、同様の作用効果を奏することができる。
【００１７】
本発明に係る除菌海水の調製装置は、本発明に係る除菌海水の調製方法を実施することができるものであり、当該調製装置では、調製タンク内に残留する除菌海水を全て排出すべく機能する除菌海水排出手段を備えていることから、除菌海水排出手段をタイミングよく使用することによって、本発明に係る除菌海水の調製方法を実施することができる。
【発明を実施するための最良の形態】
【００１８】
本発明は、除菌海水の調製方法および調製装置である。図１には、本発明に係る除菌海水の調製方法を実施するための調製装置の一実施形態を示している。当該調製装置は、殺菌能を有する有効塩素成分が設定された濃度範囲の除菌海水を調製するものである。当該調製装置は、清澄な海水を被電解水として殺菌能を有する電解生成水を生成する電解槽１０ａ、電解槽１０ａにて生成された電解生成水を導入される一対の調製タンク１０ｂ，１０ｃ、電解槽１０ａに被電解水を供給する被電解水供給手段２０ａ、電解槽１０ａにて生成された電解生成水を各調製タンク１０ｂ，１０ｃ内に選択的に導入する電解生成水導入手段２０ｂ、清澄な海水を希釈用水として各調製タンク１０ｂ，１０ｃ内に選択的に導入する希釈用水導入手段２０ｃ、各調製タンク１０ｂ，１０ｃ内に導入された電解生成水と希釈用水を混合して所定の殺菌能を有する除菌海水を調製する調製手段２０ｄ、各調製タンク１０ｂ，１０ｃ内の殺菌能を有する除菌海水を選択的に導出する導出手段２０ｅ、および、各調製タンク１０ｂ，１０ｃ内に残留する除菌海水を排出する除菌海水排出手段２０ｆを備えるとともに、当該調製装置における調製タンク１０ｂ，１０ｃ内での除菌海水の調製、調製タンク１０ｂ，１０ｃ内からの除菌海水の導出等を電気的に制御する図示しない制御装置を備えている。
【００１９】
電解槽１０ａは無隔膜式の電解槽であって、当該電解槽１０ａには、被電解水である清澄な海水が被電解水供給手段２０ａを介して供給される。被電解水供給手段２０ａは、清澄な海水を導入される原水導入管路２１に接続された供給管路２２ａと、供給管路２２ａの途中に介装されているフィルター２２ｂとからなる。濾過装置を通って清澄化された海水（清澄な海水）は、導入管路２１から供給管路２２ａを通り、フィルター２２ｂを透過して、電解槽１０ａの電解室に連続して供給される。電解室に連続して供給される被電解水である海水は、電解室にて無隔膜電解されて、有効塩素成分を含む殺菌能を有する電解生成水に生成され、生成された殺菌能を有する電解生成水は、電解生成水導入手段２０ｂを介して、各調製タンク１０ｂ，１０ｃ内に選択的に導入される。
【００２０】
電解生成水導入手段２０ｂは、電解槽１０ａと第１調製タンク１０ｂとに接続する第１導入管路２３ａと、第１導入管路２３ａと第２調製タンク１０ｃを接続する第２導入管路２３ｂと、これら両導入管路２３ａ，２３ｂの接続部位に介装されている電磁切替弁２３ｃとからなる。電解槽１０ａの電解室にて生成された殺菌能を有する電解生成水は、第１導入管路２３ａを通って第１調製タンク１０ｂ内に導入され、かつ、第２導入管路２３ｂを通って第２調製タンク１０ｃ内に導入されるが、当該電解生成水の各調製タンク１０ｂ，１０ｃ内への導入の選択は、電磁切替弁２３ｃを切替動作させることにより行われる。各調製タンク１０ｂ，１０ｃ内に導入される電解生成水は、殺菌能を有する有効塩素成分を高濃度に一定量含有する、有効塩素濃度が所定の高濃度の電解生成水である。
【００２１】
各調製タンク１０ａ，１０ｂ内には、高濃度の有効塩素濃度の電解生成水に加えて、清澄な海水が希釈用水として導入される。希釈用水の各調製タンク１０ａ，１０ｂ内への導入は、希釈用水導入手段２０ｃを介して行われる。希釈用水導入手段２０ｃは、原水導入管路２１と第１調製タンク１０ｂとに接続する第１導入管路２４ａと、原水導入管路２１と第２調製タンク１０ｃとに接続する第２導入管路２４ｂと、原水導入管路２１と各導入管路２４ａ，２４ｂの接続部位に介装されている一対の電磁切替弁２４ｃ，２４ｄとからなる。希釈用水は、第１導入管路２４ａを通って第１調製タンク１０ｂ内に導入され、かつ、第２導入管路２４ｂを通って第２調製タンク１０ｃ内に導入されるが、当該希釈用水の各調製タンク１０ａ，１０ｂ内への導入の選択は、電磁切替弁２４ｃ，２４ｄを切替動作することにより行われる。
【００２２】
各調製タンク１０ｂ，１０ｃ内に導入された殺菌能を有する電解生成水と希釈用水は、各調製タンク１０ｂ，１０ｃに装備された調製手段２０ｄにて均一に混合されて、有効塩素成分が所定濃度に希釈された有効塩素濃度が所定の低濃度の希釈電解生成水、換言すれば、有効塩素濃度が所定の低濃度の除菌海水に調製される。調製手段２０ｄは、各調製タンク１０ｂ，１０ｃに設けた循環管路２５ａと、循環管路２５ａの途中に介装れている循環ポンプ２５ｂとからなる。各調製タンク１０ｂ，１０ｃ内の電解生成水と希釈用水は、循環ポンプ２５ｂの駆動によって、各調製タンク１０ｂ，１０ｃ内および各循環管路２５ａを通って循環する。これにより、各調製タンク１０ｂ，１０ｃ内では、有効塩素濃度が所定の低濃度の希釈電解生成水が調製される。各調製タンク１０ｂ，１０ｃ内で調製された、有効塩素濃度が所定の低濃度の希釈電解生成水は、殺菌能を有する除菌海水として、導出手段２０ｅを介して、各調製タンク１０ｂ，１０ｃから選択的に導出される。
【００２３】
導出手段２０ｅは、各調製タンク１０ｂ，１０ｃに一対の分岐管路部２６ａ1，２６ａ2を介して接続する導出管路２６ａと、分岐管路部２６ａ1，２６ａ2の分岐部位に介装されている電磁切替弁２６ｂと、各分岐管路部２６ａ1，２６ａ2の途中に介装されている一対の導出ポンプ２６ｃ，２６ｄとからなる。当該導出手段２０ｅにおいては、電磁切替弁２６ｂの切替動作に連動して、各導出ポンプ２６ｃ，２６ｄが選択的に駆動して、各調製タンク１０ｂ，１０ｃ内の殺菌能を有する除菌海水が選択的に導出させる。導出された当該除菌海水は、例えば、海洋生物の飼育用水槽に供給される。
【００２４】
各調製タンク１０ｂ，１０ｃは、内部に残留する除菌海水を全て排出すべく機能する除菌海水排出手段２０ｆをそれぞれ備えているとともに、導出手段２０ｅを構成する導出管路２６ａの途中には濃度センサ２８が介装されている。除菌海水排出手段２０ｆは、調製タンク１０ｂ，１０ｃのタンク本体の底部に連結された排出管路２７ａと、排出管路２７ａの途中に介装された電磁開閉弁２７ｂにて構成されていて、電磁開閉弁２７ｂが開成された場合には、調製タンク１０ｂ、１０ｃ内の除菌海水が全て、排出管路２７ａを通して外部に排出されるようになっている。なお、当該除菌海水排出手段２０ｆにおいては、電磁開閉弁２７ｂに替えて、排水ポンプを採用することもできる。
【００２５】
導出手段２０ｅを構成する導出管路２６ａの途中に介装されている濃度センサ２８は、導出管路２６ａを流動する除菌海水中の有効塩素濃度を検出するもので、検出された有効塩素濃度は、図示しない制御装置に検出信号として出力される。当該制御装置は、濃度センサ２８からの検出信号に基づいて算出される有効塩素濃度の値を、図示しないディスプレーに表示するとともに、供給される除菌海水中の有効塩素濃度が、設定されている濃度範囲を外れているものと判定した場合には、除菌海水の供給側の導出ポンプ２６ｃ，２６ｄの駆動を停止して、除菌海水の導出を停止するとともに、除菌海水の供給側の調製タンク１０ｂ，１０ｃに配設されている除菌海水排出手段２０ｆの電磁開閉弁２７ｂを開成して、当該調製タンク１０ｂ，１０ｃ内の除菌海水を全て排出する。
【００２６】
図２には、当該調製装置を構成する各調製タンク１０ｂ，１０ｃの一例を詳細に示している。各調製タンク１０ｂ，１０ｃは、互いに同一の構成のものであることから、説明の便宜上、図２には、調製タンク１０ｂ，１０ｃを符号Ｔとして表示している。
【００２７】
調製タンクＴは、タンク本体１１を主体とするもので、タンク本体１１の上方壁部に、電解生成水導入手段２０ｂを構成する第１導入管路２３ａまたは第２導入管路２３ｂと、希釈用水導入手段２０ｃを構成する第１導入管路２４ａまたは第２導入管路２４ｂが接続されている。また、タンク本体１１の上方壁部と側壁部の底部近傍には、調製手段２０ｄを構成する循環管路２５ａが接続され、タンク本体１１の側壁部の底部近傍には、導出手段２０ｅを構成する導出管路２６ａのいずれかの分岐管路部２６ａ1，２６ａ2が接続されている。また、当該調製タンクＴには、その下方および上方に、２個のフロートスイッチ１２ａ，１２ｂが配設されている。
【００２８】
当該調製装置は、図示しない制御装置を備えている。制御装置は、当該調製装置を構成する電解槽１０ａの電解運転を制御し、各調製タンク１０ｂ，１０ｃ内での除菌海水の調製を制御し、各調製タンク１０ｂ，１０ｃからの除菌海水の導出を制御し、かつ、各調製タンク１０ｂ，１０ｃ内に残留する除菌海水の排出を制御する。制御装置は、消費者からの除菌海水の採取信号に基づいて、例えば、第１調製タンク１０ｂ内の除菌海水を導出すべく、電磁切替弁２６ｂを切替動作するとともに、導出ポンプ２６ｃを駆動する。これにより、第１調製タンク１０ｂ内の除菌海水は、分岐管路部２６ａ1から導出管路２６の本管路部を経て導出されて、例えば、飼育用水槽に供給される。第１調製タンク１０ｂ内からの除菌海水の導出は、除菌海水の採取信号が解消される時点まで継続され、制御装置は、除菌海水の採取信号が解消された場合には、導出ポンプ２６ｃの駆動を停止する。これにより、第１調製タンク１０ｂ内の除菌海水の導出が停止されて、除菌海水の飼育用水槽への供給が停止される。
【００２９】
第１調製タンク１０ｂ内の除菌海水の導出の停止は、消費者が除菌海水の採取中に、第１調製タンク１０ｂ内の除菌海水が設定された容量だけ消費された場合にも行われる。この場合には、制御装置は、導出ポンプ２６ｃの駆動を停止し、電磁切替弁２６ｂを切替動作するとともに導出ポンプ２６ｄを駆動する。これにより、除菌海水の導出は第１調製タンク１０ｂから第２調製タンク１０ｃ側に切替えられて、第２調製タンク１０ｃ内の除菌海水が分岐管路部２６ａ2から導出管路２６の本管路部を経て導出されて、除菌海水は飼育用水槽へは継続して供給される。第２調製タンク１０ｂ内からの除菌海水の導出は、除菌海水の採取信号が解消された時点まで継続され、制御装置は、除菌海水の採取信号が解消された場合には、導出ポンプ２６ｄの駆動を停止する。これにより、第２調製タンク１０ｃ内の除菌海水の導出が停止されて、除菌海水の飼育用水槽への供給が停止される。
【００３０】
本発明に係る調製方法は、除菌海水の導出が、第１調製タンク１０ｂから第２調製タンク１０ｃに切替えられた時点で、第１調製タンク１０ｂにて実施される。但し、当該調製方法を実施するに際しては、第１調製タンク１０ｂ内に残留している除菌海水を全て排出して、除菌海水を全て排出された第１調製タンク１０ｂ内で実施される。
【００３１】
第１調製タンク１０ｂ内の除菌海水が所定量消費（導出）された場合には、第１調製タンク１０ｂ内の除菌海水の水面が設定された最低位置に低下し、タンク本体１１内の下側フロートスイッチ１２ａはＯＦＦ動作する。制御装置は、下側フロートスイッチ１２ａのＯＦＦ動作に基づいて、第１調製タンク１０ｂ内の除菌海水の水面が設定された最低位置に達したことを検知して、除菌海水の導出を第１調製タンク１０ｂから第２調製タンク１０ｃへ切替える。このため、第１調製タンク１０内には、下側フロートスイッチ１２ａの配設部位に相当する部位を液面とする容量の除菌海水が残留することになり、残留する除菌海水による除菌海水の調製時の影響を回避するために、第１調製タンク１０ｂに配設されている除菌海水排出手段２０ｆを動作して、第１調製タンク１０ｂ内に残留している除菌海水を全て排出する。
【００３２】
制御装置は、除菌海水の導出を、第１調製タンク１０ｂから第２調製タンク１０ｃへの切替えた後に、第１調製タンク１０ｂ側に配設されている除菌海水排出手段２０ｆの電磁開閉弁２７ｂを所定時間開成して、第１調製タンク１０ｂ内に残留する除菌海水を排出しする。所定時間経過後には、第１調製タンク１０ｂ内に残留する除菌海水は全て排出される。制御装置は、所定時間経過した時点で、第１調製タンク１０ｂ内での除菌海水の調製を開始する。制御装置は、希釈用水導入手段２０ｃの電磁切替弁２４ｃを切替動作して、希釈用水を第１導入管路２４ａを通して第１調製タンク１０ｂ内に導入する。これにより、タンク本体１１内の下側フロートスイッチ１２ａはＯＮ動作する。
【００３３】
制御装置は、下側フロートスイッチ１２ａのＯＮ動作に基づいて、電解生成水導出手段２０ｂの電磁切替弁２３ｃを切替動作するととともに、電解運転タイマーを始動して電解槽１０ａの電解運転を開始する。電解運転の開始により、被電解水が被電解水供給手段２０ａを介して電解槽１０ａの電解室内に連続して供給され、電解室内では被電解水が無隔膜電解されて殺菌能を有する電解生成水が生成される。電解槽１０ａにて生成された殺菌能を有する電解生成水は、電解生成水導入手段２０ｂの第１導入管路２３ａを通して第１調製タンク１０ｂ内に導入される。制御装置は、電解運転タイマーで設定された時間が経過した時点で電解槽１０ａの電解運転を停止する。
【００３４】
これにより、第１調製タンク１０ｂ内には、設定された容量の殺菌能を有する電解生成水が導入される。この間、希釈用水の第１導入管路２４ａを通しての導入は継続されるが、タンク本体１１内での液面が設定された最高位置に上昇した場合には、タンク本体１１内の上側フロートスイッチ１２ｂがＯＮ動作する。制御装置は、上側フロートスイッチ１２ｂのＯＮ動作に基づいて、第１調製タンク１０ｂのタンク本体１１内での液面が設定された最高位置に達したことを検知し、希釈用水導入手段２０ｃの電磁切替弁２４ｃを切替動作して、希釈用水の第１導入管路２４ａを通しての第１調製タンク１０ｂ内への導入を停止する。これにより、第１調製タンク１０ｃ内には、設定された所定量の希釈用水が導入される。
【００３５】
制御装置は、殺菌能を有する電解生成水および希釈用水の第１調製タンク１０ｂ内への導入途中に調製手段２０ｄの循環ポンプ２５ｂを駆動し、これらの電解生成水および希釈用水の第２調製タンク１０ｃ内への導入停止後、所定時間経過した時点で、循環ポンプ２５ｂの駆動を停止する。この間、第１調製タンク１０ｂ内の殺菌能を有する電解生成水と希釈用水は、循環管路２５ａおよびタンク本体１１内を通して循環して互いに均一に混合し、有効塩素成分が所定濃度に希釈された希釈電解生成水となる。当該希釈電解生成水は、海洋生物の飼育や養殖、活魚介類や生鮮魚介類の殺菌洗浄に悪影響を及ぼすことがない適度な殺菌能を有する除菌海水、換言すれば、有効塩素濃度が設定された濃度範囲の除菌海水である。
【００３６】
このように、本発明に係る除菌海水の調製方法によれば、第１調製タンク１０ｂ内で除菌海水の調製方法を実施する際に、第１調製タンク１０ｂ内に残留する除菌海水を第１調製タンク１０ｂ内から全て排出し、その後に当該調製方法を実施するものである。かかる調製方法を採れば、第１調製タンク１０ｂ内に導出し尽くされずに残留する除菌海水による除菌海水の調製に及ぼす影響、すなわち、残留する除菌海水に起因する希釈用水（清澄な海水）の導入容量の不足によって、調製された除菌海水の有効塩素濃度が設定された濃度範囲より高くなるという問題は完全に解消されて、第１調製タンク１０ｂ内には、有効塩素濃度が設定された濃度範囲の除菌海水が確実に調製されることになる。当該除菌海水の調製方法は、第２調製タンク１０ｃ内での除菌海水の調製にも、第１調製タンク１０ｂ内での除菌海水の調製と同様に実施することができる。
【００３７】
本発明に係る調製装置の一実施形態においては、導出手段２０ｅを構成する導出管路２６ａの途中に濃度センサ２８を介装している。濃度センサ２８は、導出管路２６ａを流動する除菌海水中の有効塩素濃度を検出するもので、検出された有効塩素濃度は、制御装置に検出信号として出力される。制御装置は、濃度センサ２８からの検出信号に基づいて、供給される除菌海水中の有効塩素濃度が、設定されている濃度範囲を外れているものと判定した場合には、除菌海水の供給側の導出ポンプ２６ｃ，２６ｄの駆動を停止して、除菌海水の調製タンク１０ｂ，１０ｃからの導出を停止するとともに、除菌海水の供給側の調製タンク１０ｂ，１０ｃに配設されている除菌海水排出手段２０ｆの電磁開閉弁２７ｂを開成して、当該調製タンク１０ｂ，１０ｃ内の除菌海水を全て排出する。このため、制御装置は、導出される除菌海水の有効塩素濃度が設定されている濃度範囲を外れているものと判定した場合には、当該除菌海水が貯留されている側の調製タンク１０ｂ，１０ｃ内に貯留されている除菌海水を全て排出した後、除菌海水が残留していない調製タンク１０ｂ，１０ｃ内にて除菌海水の調製を行うことができる。
【００３８】
なお、上記の実施形態では、殺菌能を有する電解生成水を調製タンク内に設定された容量だけ導入するとともに、清澄な海水を調製タンク内に液面が設定されたレベルになるまで導入し、これらの電解生成水および海水を前記調製タンク内にて均一に混合することにより、有効塩素濃度が設定された濃度範囲の除菌海水を調製する調製方法、および、当該調製方法を実施する調製装置の例を示しているが、本発明は、これとは逆に、清澄な海水を調製タンク内に設定された容量だけ導入するとともに、殺菌能を有する電解生成水を調製タンク内に液面が設定されたレベルになるまで導入し、これらの海水および電解生成水を調製タンク内にて均一に混合することにより、有効塩素濃度が設定された濃度範囲の除菌海水を調製する調製方法、および、当該調製方法を実施する調製装置に適用でいることは勿論である。
【００３９】
また、上記した実施形態は、調製タンク内にて、殺菌能を有する電解生成水を清澄な海水で希釈して、有効塩素濃度が設定された濃度範囲の除菌海水を調製する例であるが、本発明に係る調製装置を、所望により、有効塩素濃度が実質的に零である、殺菌能を有しない除菌海水を調製する装置に変更することができる。当該変更は、調製タンクに、殺菌能を有する電解生成水の殺菌能を中和する中和剤を添加する中和剤添加手段を付加することにより行われる。本発明に係る除菌海水の調製方法は、かかる構成の調製装置にも実施することができる。
【図面の簡単な説明】
【００４０】
【図１】本発明に係る調製装置の一実施形態を示す概略構成図である。
【図２】同調製装置を構成する調製タンクの詳細を示す縦断面図である。
【符号の説明】
【００４１】
１０ａ…電解槽、１０ｂ…第１調製タンク、１０ｃ…第２調製タンク、Ｔ…調製タンク、１１…タンク本体、１２ａ…下側フロートスイッチ、１２ｂ…上側フロートスイッチ、１３ａ〜１３ｄ…フロートスイッチ、２１…原水導入管路、２０ａ…被電解水供給手段、２２ａ…供給管路、２２ｂ…フィルター、２０ｂ…電解生成水導入手段、２３ａ…第１導入管路、２３ｂ…第２導入管路、２３ｃ…電磁切替弁、２０ｃ…希釈用水導入手段、２４ａ…第１導入管路、２４ｂ…第２導入管路、２４ｃ，２４ｄ…電磁切替弁、２０ｄ…調製手段、２５ａ…循環管路、２５ｂ…循環ポンプ、２０ｅ…除菌海水導出手段、２６ａ…導出管路、２６ａ1，２６ａ2…分岐管路部、２６ｂ…電磁切替弁、２６ｃ，２６ｄ…導出ポンプ、２０ｆ…除菌海水排出手段、２７ａ…排出管路、２７ｂ…電磁開閉弁、２８…濃度センサ。
【図１】
2007313447.tif 000003
【図２】
2007313447.tif 000004